(57)【要約】  本出願は、比較的後にデータ送信要求を開始するアプリケーションプログラムに関する過度に長い送信遅延の問題を解決するために、データ経路選択方法および装置を提供し、通信技術の分野に関連する。データ経路選択方法は、端末によって、アプリケーションに関する情報がトラフィック記述子と一致することを検出するステップと、端末によって、アプリケーションのための第1の経路選択構成要素を決定するステップと、端末によって、第1のプロトコルデータユニットPDUセッションにおいてアプリケーションのトラフィックをルーティングするステップとを含む。第1のPDUセッションは、第1の経路選択構成要素と一致する。本出願は、端末に適用可能である。
2021513824.tif 000002
【特許請求の範囲】
【請求項１】
データ経路選択方法であって、前記方法が、
端末によって、アプリケーションに関する情報がトラフィック記述子と一致することを検出するステップと、
前記端末によって、前記アプリケーションのための第1の経路選択構成要素を決定するステップと、
前記端末によって、第1のプロトコルデータユニットPDUセッションにおいて前記アプリケーションのトラフィックをルーティングするステップであって、前記第1のPDUセッションが前記第1の経路選択構成要素と一致する、ステップと
を含む、データ経路選択方法。
【請求項２】
前記アプリケーションの前記情報が、前記アプリケーションのインターネットプロトコルIP3タプル、または前記アプリケーションの識別子IDを含む、請求項1に記載の方法。
【請求項３】
前記第1の経路選択構成要素が第1の条件に一致し、
前記第1の条件が、以下、すなわち、
前記第1の経路選択構成要素内の単一ネットワークスライス選択支援情報S-NSSAIが、許可されたネットワークスライス選択支援情報allowed NSSAIに属すること、および、
前記第1の経路選択構成要素内のデータネットワーク名DNNがローカルアクセスデータネットワークLADNのDNNである場合、前記端末が前記LADNのサービスエリア内にあること
のうちの少なくとも1つを含む、請求項1または2に記載の方法。
【請求項４】
前記方法が、
確立されたPDUセッションにおいて前記第1の経路選択構成要素と一致する第1のPDUセッションがない場合、前記端末によって、前記第1の経路選択構成要素に基づいて前記第1のPDUセッションを確立するステップをさらに含む、請求項1から3のいずれか一項に記載の方法。
【請求項５】
前記方法が、
前記端末によって、第1のメッセージを受信するステップであって、前記第1のメッセージが、前記端末によって前記第1のPDUセッションを確立することが許容されることを示すために使用される、ステップと、
前記第1のメッセージ内で搬送されたPDUセッションパラメータが前記第1の経路選択構成要素と一致する場合、前記端末によって、前記第1のPDUセッションにおいて前記アプリケーションの前記トラフィックをルーティングするステップと
をさらに含む、請求項1から4のいずれか一項に記載の方法。
【請求項６】
前記トラフィック記述子がUE経路選択ポリシーURSP rule内で搬送され、前記第1の経路選択構成要素が前記URSP rule内で搬送される、請求項1から5のいずれか一項に記載の方法。
【請求項７】
前記トラフィック記述子がUE経路選択ポリシーURSP rule内で搬送され、前記URSP ruleが少なくとも1つの経路選択記述子をさらに含み、
前記端末によって、前記アプリケーションのための第1の経路選択構成要素を決定する前記ステップが、前記端末によって、有効な経路選択構成要素内の前記第1の経路選択構成要素を決定するステップであって、前記有効な経路選択構成要素が、前記少なくとも1つの経路選択識別子内に記録された経路選択構成要素内の前記第1の条件に一致する少なくとも1つの経路選択構成要素であり、各経路選択構成要素が少なくとも1つのパラメータを含む、ステップを含む、請求項1から6のいずれか一項に記載の方法。
【請求項８】
前記端末によって、前記有効な経路選択構成要素内の前記第1の経路選択構成要素を決定する前記ステップが、前記端末によって、少なくとも各経路選択構成要素の優先順位に基づいて、前記有効な経路選択構成要素内の前記第1の経路選択構成要素を決定するステップを含む、請求項7に記載の方法。
【請求項９】
前記端末によって、前記アプリケーションのための第1の経路選択構成要素を決定する前記ステップが、
前記端末によって、第2の経路選択構成要素に基づいて第2のPDUセッションを確立するステップと、
前記端末によって前記第2のPDUセッションを確立することが拒否された場合、前記端末によって、前記第1の経路選択構成要素を決定するステップと
を含む、請求項1から8のいずれか一項に記載の方法。
【請求項１０】
前記第2の経路選択構成要素と前記第1の経路選択構成要素の両方が、前記第1の条件に一致する経路選択構成要素であり、前記第1の条件が、以下、すなわち、
前記第1の経路選択構成要素内の単一ネットワークスライス選択支援情報S-NSSAIが、許可されたネットワークスライス選択支援情報allowed NSSAIに属すること、および、
前記第1の経路選択構成要素内のデータネットワーク名DNNがローカルアクセスデータネットワークLADNのDNNである場合、前記端末が前記LADNのサービスエリア内にあること
のうちの少なくとも1つを含む、請求項9に記載の方法。
【請求項１１】
前記第2の経路選択構成要素の優先順位が、前記第1の経路選択構成要素の優先順位よりも高い、請求項9または10に記載の方法。
【請求項１２】
前記端末によって、前記アプリケーションのための第1の経路選択構成要素を決定する前記ステップが、具体的には、
前記端末によって、第3の経路選択構成要素に基づいて第3のPDUセッションを確立するステップと、
前記端末によって、第2のメッセージを受信するステップであって、前記第2のメッセージが、前記端末によって前記第3のPDUセッションを確立することが許容されることを示すために使用される、ステップと、
前記第2のメッセージ内で搬送されたPDUセッションパラメータが前記第3の経路選択構成要素と一致しない場合、前記端末によって、前記第1の経路選択構成要素を決定するステップと
を含む、請求項1から11のいずれか一項に記載の方法。
【請求項１３】
前記第2のメッセージ内で搬送されるPDUセッションパラメータが前記第3の経路選択構成要素と一致しないことが、
前記第3の経路選択構成要素における連続性選択が連続性モード1であり、前記第2のメッセージ内で搬送される前記PDUセッションパラメータにおける連続性モードが前記連続性モード1以外の連続性モードであること
を含む、請求項12に記載の方法。
【請求項１４】
前記方法が、
前記端末によって、前記第3のPDUセッションを解放するステップをさらに含む、請求項12または13に記載の方法。
【請求項１５】
前記第1の経路選択構成要素が少なくとも1つのパラメータを含み、
前記第1のPDUセッションが前記第1の経路選択構成要素と一致することが、
前記第1の経路選択構成要素における各パラメータが1つの値に対応する場合、前記第1のPDUセッションのパラメータが前記第1の経路選択構成要素と同じであること、または、
前記第1の経路選択構成要素における少なくとも1つのパラメータが少なくとも2つの値に対応する場合、前記第1のPDUセッションのパラメータが前記第1の経路選択構成要素に属すること
を含む、請求項1から14のいずれか一項に記載の方法。
【請求項１６】
前記端末によって、前記アプリケーションのための第1の経路選択構成要素を決定する前記ステップが、第2の条件が満たされた場合、前記端末によって、前記アプリケーションのための前記第1の経路選択構成要素を決定するステップを含み、
前記第2の条件が、以下、すなわち、
前記アプリケーションの前記トラフィックがルーティングされるPDUセッションが解放されること、
前記端末が前記LADNの前記サービスエリアに出入りすること、
前記端末が非第3世代パートナーシッププロジェクトの非3GPPカバレッジエリアに出入りすること、
前記端末のネットワーク規格が変化すること、および、
前記端末が、前記アプリケーションが有効にされたことを検出すること
のうちの少なくとも1つを含む、請求項1から15のいずれか一項に記載の方法。
【請求項１７】
前記端末によって前記第1の経路選択構成要素を決定するタイミングが、以下、すなわち、前記端末の登録エリアが変化すること、前記端末が非第3世代パートナーシッププロジェクトの非3GPPカバレッジエリアに出入りすること、前記端末のネットワーク規格が変化すること、および、前記端末が前記アプリケーションを有効にすることのうちの少なくとも1つを含む、請求項1から15のいずれか一項に記載の方法。
【請求項１８】
データ経路選択方法であって、前記方法が、
端末によって、アプリケーションのための第1の経路選択構成要素を決定するステップであって、前記第1の経路選択構成要素が第1の条件に一致する、ステップと、
前記端末によって、第1のプロトコルデータユニットPDUセッションにおいて前記アプリケーションのトラフィックをルーティングするステップであって、前記第1のPDUセッションが前記第1の経路選択構成要素と一致する、ステップと
を含み、
前記第1の条件が、以下、すなわち、
前記第1の経路選択構成要素内の単一ネットワークスライス選択支援情報S-NSSAIが、許可されたネットワークスライス選択支援情報allowed NSSAIに属すること、および、
前記第1の経路選択構成要素内のデータネットワーク名DNNがローカルアクセスデータネットワークLADNのDNNである場合、前記端末が前記LADNのサービスエリア内に位置すること
のうちの少なくとも1つを含む、データ経路選択方法。
【請求項１９】
前記方法が、
確立されたPDUセッションにおいて前記第1の経路選択構成要素と一致する第1のPDUセッションがない場合、前記端末によって、前記第1の経路選択構成要素に基づいて前記第1のPDUセッションを確立するステップをさらに含む、請求項18に記載の方法。
【請求項２０】
前記アプリケーションの情報がトラフィック記述子と一致し、前記トラフィック記述子がUE経路選択ポリシーURSP rule内で搬送され、前記第1の経路選択構成要素が前記URSP rule内で搬送される、請求項18または19に記載の方法。
【請求項２１】
前記アプリケーションの情報がトラフィック記述子と一致し、前記トラフィック記述子がURSP rule内で搬送され、前記URSP ruleが、少なくとも1つの経路選択記述子をさらに含み、
端末によって、前記アプリケーションのための前記第1の経路選択構成要素を決定する前記ステップが、
前記端末によって、有効な経路選択構成要素内の前記第1の経路選択構成要素を決定するステップであって、前記有効な経路選択構成要素が、前記少なくとも1つの経路選択記述子内に記録された経路選択構成要素内の前記第1の条件に一致する少なくとも1つの経路選択構成要素であり、各経路選択構成要素が少なくとも1つのパラメータを含む、ステップを含む、請求項18または19に記載の方法。
【請求項２２】
前記端末によって、前記有効な経路選択構成要素内の前記第1の経路選択構成要素を決定する前記ステップが、前記端末によって、少なくとも各経路選択構成要素の優先順位に基づいて、前記有効な経路選択構成要素内の前記第1の経路選択構成要素を決定するステップを含む、請求項21に記載の方法。
【請求項２３】
前記有効な経路選択構成要素が、第2の経路選択構成要素と前記第1の経路選択構成要素とを含み、前記第2の経路選択構成要素の優先順位が、前記第1の経路選択構成要素の優先順位よりも高く、
前記端末によって、有効な経路選択構成要素内の前記第1の経路選択構成要素を決定する前記ステップが、
前記端末によって、前記第2の経路選択構成要素に基づいて第2のPDUセッションを確立するステップと、
前記端末によって前記第2のPDUセッションを確立することが拒否された場合、前記端末によって、前記第1の経路選択構成要素を決定するステップと
を含む、請求項21または22に記載の方法。
【請求項２４】
端末によって、前記アプリケーションのための第1の経路選択構成要素を決定する前記ステップが、
第2の条件が満たされた場合、前記端末によって、前記アプリケーションのための前記第1の経路選択構成要素を決定するステップを含み、
前記第2の条件が、以下、すなわち、
前記端末が、前記アプリケーションが有効にされたことを検出すること、
前記アプリケーションの前記トラフィックがルーティングされるPDUセッションが解放されること、
前記端末が前記LADNの前記サービスエリアに出入りすること、
前記端末が非第3世代パートナーシッププロジェクトの非3GPPカバレッジエリアに出入りすること、および、
前記端末のネットワーク規格が変化すること
のうちの少なくとも1つを含む、請求項18から23のいずれか一項に記載の方法。
【請求項２５】
前記第1の経路選択構成要素が少なくとも1つのパラメータを含み、
前記第1のPDUセッションが前記第1の経路選択構成要素と一致することが、
前記第1の経路選択構成要素における各パラメータが1つの値に対応する場合、前記第1のPDUセッションのパラメータが前記第1の経路選択構成要素と同じであること、または、
前記第1の経路選択構成要素における少なくとも1つのパラメータが少なくとも2つの値に対応する場合、前記第1のPDUセッションのパラメータが前記第1の経路選択構成要素に属すること
を含む、請求項18から24のいずれか一項に記載の方法。
【請求項２６】
前記アプリケーションの前記情報が、前記アプリケーションのインターネットプロトコルIP3タプル、または前記アプリケーションの識別子IDを含む、請求項18から25のいずれか一項に記載の方法。
【請求項２７】
データ経路選択装置であって、前記装置が、
アプリケーションに関する情報がトラフィック記述子と一致することを検出するように構成された検出モジュールと、
前記検出モジュールによって検出された前記アプリケーションのための第1の経路選択構成要素を決定するように構成された決定モジュールと、
第1のプロトコルデータユニットPDUセッションにおいて前記アプリケーションのトラフィックをルーティングするように構成された処理モジュールであって、前記第1のPDUセッションが前記決定モジュールによって決定された前記第1の経路選択構成要素と一致する、処理モジュールと
を備える、データ経路選択装置。
【請求項２８】
前記アプリケーションの前記情報が、前記アプリケーションのインターネットプロトコルIP3タプル、または前記アプリケーションの識別子IDを含む、請求項27に記載の装置。
【請求項２９】
前記第1の経路選択構成要素が第1の条件に一致し、
前記第1の条件が、以下、すなわち、
前記第1の経路選択構成要素内の単一ネットワークスライス選択支援情報S-NSSAIが、許可されたネットワークスライス選択支援情報allowed NSSAIに属すること、および、
前記第1の経路選択構成要素内のデータネットワーク名DNNがローカルアクセスデータネットワークLADNのDNNである場合、前記端末が前記LADNのサービスエリア内にあること
のうちの少なくとも1つを含む、請求項27または28に記載の装置。
【請求項３０】
前記装置が、
確立されたPDUセッションにおいて前記決定モジュールによって決定された前記第1の経路選択構成要素と一致する第1のPDUセッションがない場合、前記第1の経路選択構成要素に基づいて前記第1のPDUセッションを確立するように構成された確立モジュールをさらに備える、請求項27から29のいずれか一項に記載の装置。
【請求項３１】
前記装置が、
第1のメッセージを受信するように構成された受信モジュールであって、前記第1のメッセージが、前記確立モジュールによって前記第1のPDUセッションを確立することが許容されることを示すために使用される、受信モジュールをさらに備え、
前記処理モジュールが、前記受信モジュールによって受信された前記第1のメッセージ内で搬送されたPDUセッションパラメータが前記第1の経路選択構成要素と一致する場合、前記第1のPDUセッションにおいて前記アプリケーションの前記トラフィックをルーティングするようにさらに構成された、請求項27から30のいずれか一項に記載の装置。
【請求項３２】
前記トラフィック記述子がURSP rule内で搬送され、前記第1の経路選択構成要素が前記URSP rule内で搬送される、請求項27から31のいずれか一項に記載の装置。
【請求項３３】
前記トラフィック記述子がUE経路選択ポリシーURSP rule内で搬送され、前記URSP ruleが少なくとも1つの経路選択記述子をさらに含み、
前記決定モジュールが、前記アプリケーションのための第1の経路選択構成要素を決定するように構成されることが、前記決定モジュールが、有効な経路選択構成要素内の前記第1の経路選択構成要素を決定するように構成されることを含み、前記有効な経路選択構成要素が、前記少なくとも1つの経路選択識別子内に記録された経路選択構成要素内の前記第1の条件に一致する少なくとも1つの経路選択構成要素であり、各経路選択構成要素が少なくとも1つのパラメータを含む、請求項27から32のいずれか一項に記載の装置。
【請求項３４】
前記決定モジュールが、前記有効な経路選択構成要素内の前記第1の経路選択構成要素を決定するように構成されることが、前記決定モジュールが、少なくとも各経路選択構成要素の優先順位に基づいて、前記有効な経路選択構成要素内の前記第1の経路選択構成要素を決定するように構成されることを含む、請求項33に記載の装置。
【請求項３５】
前記装置が、
第2の経路選択構成要素に基づいて第2のPDUセッションを確立するように構成された前記確立モジュールをさらに備え、
前記決定モジュールが、前記アプリケーションのための前記第1の経路選択構成要素を決定するように構成されることが、前記決定モジュールが、前記確立モジュールによって前記第2のPDUセッションを確立することが拒否された場合、前記第1の経路選択構成要素を決定するように構成されることを含む、請求項27から34のいずれか一項に記載の装置。
【請求項３６】
前記第2の経路選択構成要素と前記第1の経路選択構成要素の両方が、前記第1の条件に一致する経路選択構成要素であり、前記第1の条件が、以下、すなわち、
前記第1の経路選択構成要素内の単一ネットワークスライス選択支援情報S-NSSAIが、許可されたネットワークスライス選択支援情報allowed NSSAIに属すること、および、
前記第1の経路選択構成要素内のデータネットワーク名DNNがローカルアクセスデータネットワークLADNのDNNである場合、前記端末が前記LADNのサービスエリア内にあること
のうちの少なくとも1つを含む、請求項35に記載の装置。
【請求項３７】
前記第2の経路選択構成要素の優先順位が、前記第1の経路選択構成要素の優先順位よりも高い、請求項35または36に記載の装置。
【請求項３８】
前記装置が、
第3の経路選択構成要素に基づいて第3のPDUセッションを確立するように構成された前記確立モジュールと、
第2のメッセージを受信するように構成された前記受信モジュールであって、前記第2のメッセージが、前記確立モジュールによって前記第3のPDUセッションを確立することが許容されることを示すために使用される、前記受信モジュールと
をさらに備え、
前記決定モジュールが、前記アプリケーションのための前記第1の経路選択構成要素を決定するように構成されることが、前記決定モジュールが、前記第2のメッセージ内で搬送されたPDUセッションパラメータが前記第3の経路選択構成要素と一致しない場合、前記第1の経路選択構成要素を決定するように構成されることを含む、請求項27から37のいずれか一項に記載の装置。
【請求項３９】
前記第2のメッセージ内で搬送されるPDUセッションパラメータが前記第3の経路選択構成要素と一致しないことが、
前記第3の経路選択構成要素における連続性選択が連続性モード1であり、前記第2のメッセージ内で搬送される前記PDUセッションパラメータにおける連続性モードが前記連続性モード1以外の連続性モードであること
を含む、請求項38に記載の装置。
【請求項４０】
前記装置が、
前記第3のPDUセッションを解放するように構成された解放モジュールをさらに備える、請求項38または39に記載の装置。
【請求項４１】
前記第1の経路選択構成要素が少なくとも1つのパラメータを含み、
前記第1のPDUセッションが前記第1の経路選択構成要素と一致することが、
前記第1の経路選択構成要素における各パラメータが1つの値に対応する場合、前記第1のPDUセッションのパラメータが前記第1の経路選択構成要素と同じであること、または、
前記第1の経路選択構成要素における少なくとも1つのパラメータが少なくとも2つの値に対応する場合、前記第1のPDUセッションのパラメータが前記第1の経路選択構成要素に属すること
を含む、請求項27から40のいずれか一項に記載の装置。
【請求項４２】
前記決定モジュールが、前記アプリケーションのための前記第1の経路選択構成要素を決定するように構成されることが、前記決定モジュールが、第2の条件が満たされた場合、前記アプリケーションのための前記第1の経路選択構成要素を決定するように構成されることを含み、
前記第2の条件が、以下、すなわち、
前記アプリケーションの前記トラフィックがルーティングされるPDUセッションが解放されること、
前記端末が前記LADNの前記サービスエリアに出入りすること、
前記端末が非第3世代パートナーシッププロジェクトの非3GPPカバレッジエリアに出入りすること、
前記端末のネットワーク規格が変化すること、および、
前記検出モジュールが、前記アプリケーションが有効にされたことを検出すること
のうちの少なくとも1つを含む、請求項27から41のいずれか一項に記載の装置。
【請求項４３】
前記端末によって前記第1の経路選択構成要素を決定するタイミングが、以下、すなわち、前記端末の登録エリアが変化すること、前記端末が非第3世代パートナーシッププロジェクトの非3GPPカバレッジエリアに出入りすること、前記端末のネットワーク規格が変化すること、および、前記端末が前記アプリケーションを有効にすることのうちの少なくとも1つを含む、請求項27から41のいずれか一項に記載の装置。
【請求項４４】
データ経路選択装置であって、前記装置が、
アプリケーションのための第1の経路選択構成要素を決定するように構成された第1のモジュールであって、前記第1の経路選択構成要素が第1の条件に一致する、第1のモジュールと、
第1のプロトコルデータユニットPDUセッションにおいて前記アプリケーションのトラフィックをルーティングするように構成された第2のモジュールであって、前記第1のPDUセッションが前記第1の経路選択構成要素と一致する、第2のモジュールと
を備え、
前記第1の条件が、以下、すなわち、
前記第1の経路選択構成要素内の単一ネットワークスライス選択支援情報S-NSSAIが、許可されたネットワークスライス選択支援情報allowed NSSAIに属すること、および、
前記第1の経路選択構成要素内のデータネットワーク名DNNがローカルアクセスデータネットワークLADNのDNNである場合、前記端末が前記LADNのサービスエリア内に位置すること
のうちの少なくとも1つを含む、データ経路選択装置。
【請求項４５】
前記装置が、
確立されたPDUセッションにおいて前記第1の経路選択構成要素と一致する第1のPDUセッションがない場合、前記第1の経路選択構成要素に基づいて前記第1のPDUセッションを確立するように構成された第3のモジュールをさらに備える、請求項44に記載の装置。
【請求項４６】
前記アプリケーションの情報がトラフィック記述子と一致し、前記トラフィック記述子がURSP rule内で搬送され、前記第1の経路選択構成要素が前記URSP rule内で搬送される、請求項44または45に記載の装置。
【請求項４７】
前記アプリケーションの情報がトラフィック記述子と一致し、前記トラフィック記述子がURSP rule内で搬送され、前記URSP ruleが、少なくとも1つの経路選択記述子をさらに含み、
前記第1のモジュールが、前記アプリケーションのための前記第1の経路選択構成要素を決定するように構成されることが、
前記第1のモジュールが、有効な経路選択構成要素内の前記第1の経路選択構成要素を決定するように構成されることを含み、前記有効な経路選択構成要素が、前記少なくとも1つの経路選択記述子内に記録された経路選択構成要素内の前記第1の条件に一致する少なくとも1つの経路選択構成要素であり、各経路選択構成要素が少なくとも1つのパラメータを含む、請求項44または45に記載の装置。
【請求項４８】
前記第1のモジュールが、前記有効な経路選択構成要素内の前記第1の経路選択構成要素を決定するようにされることが、前記第1のモジュールが、少なくとも各経路選択構成要素の優先順位に基づいて、前記有効な経路選択構成要素内の前記第1の経路選択構成要素を決定するように構成されることを含む、請求項47に記載の装置。
【請求項４９】
前記有効な経路選択構成要素が、第2の経路選択構成要素と前記第1の経路選択構成要素とを含み、前記第2の経路選択構成要素の優先順位が、前記第1の経路選択構成要素の優先順位よりも高く、
前記第1のモジュールが、有効な経路選択構成要素内の前記第1の経路選択構成要素を決定するように構成されることが、
前記第1のモジュールが、前記第2の経路選択構成要素に基づいて第2のPDUセッションを確立するように構成されることと、
前記第1のモジュールによって前記第2のPDUセッションを確立することが拒否された場合、前記第1のモジュールが、前記第1の経路選択構成要素を決定することと
を含む、請求項47または48に記載の装置。
【請求項５０】
前記第1のモジュールが、前記アプリケーションのための前記第1の経路選択構成要素を決定するように構成されることが、
前記第1のモジュールが、第2の条件が満たされた場合、前記アプリケーションのための前記第1の経路選択構成要素を決定するように構成されることを含み、
前記第2の条件が、以下、すなわち、
前記端末が、前記アプリケーションが有効にされたことを検出すること、
前記アプリケーションの前記トラフィックがルーティングされるPDUセッションが解放されること、
前記端末が前記LADNの前記サービスエリアに出入りすること、
前記端末が非第3世代パートナーシッププロジェクトの非3GPPカバレッジエリアに出入りすること、および、
前記端末のネットワーク規格が変化すること
のうちの少なくとも1つを含む、請求項44から49のいずれか一項に記載の装置。
【請求項５１】
前記第1の経路選択構成要素が少なくとも1つのパラメータを含み、
前記第1のPDUセッションが前記第1の経路選択構成要素と一致することが、
前記第1の経路選択構成要素における各パラメータが1つの値に対応する場合、前記第1のPDUセッションのパラメータが前記第1の経路選択構成要素と同じであること、または、
前記第1の経路選択構成要素における少なくとも1つのパラメータが少なくとも2つの値に対応する場合、前記第1のPDUセッションのパラメータが前記第1の経路選択構成要素に属すること
を含む、請求項44から50のいずれか一項に記載の装置。
【請求項５２】
前記アプリケーションの前記情報が、前記アプリケーションのインターネットプロトコルIP3タプル、または前記アプリケーションの識別子IDを含む、請求項44から51のいずれか一項に記載の装置。
【請求項５３】
メモリと、1つ以上のプロセッサと、1つ以上のプログラムとを備える端末であって、前記1つ以上のプログラムが前記メモリ内に記憶され、前記1つ以上のプロセッサが前記1つ以上のプログラムを実行すると、前記端末が、請求項1から25のいずれか一項に記載の方法を実施することが可能となる、端末。
【請求項５４】
可読記憶媒体であって、前記可読記憶媒体が命令を記憶し、前記命令が端末上で実行されると、前記端末が、請求項1から25のいずれか一項に記載の方法を実行することが可能となる、可読記憶媒体。
【請求項５５】
コンピュータプログラム製品であって、前記コンピュータプログラム製品がソフトウェアコードを備え、前記ソフトウェアコードが、請求項1から26のいずれか一項に記載の方法を実行するために使用される、コンピュータプログラム製品。
【請求項５６】
1つ以上のプロセッサを備える装置であって、前記1つ以上のプロセッサがメモリと結合され、前記メモリが命令を記憶し、前記プロセッサが、前記装置が請求項1から26のいずれか一項に記載の方法を実施するように前記命令を実行するように構成される、装置。
【請求項５７】
前記装置がチップである、請求項56に記載の装置。
【請求項５８】
前記メモリがオフチップメモリまたはオンチップ集積メモリである、請求項56または57に記載の装置。
【発明の詳細な説明】
【技術分野】
【０００１】
本出願は、その全体が参照により本明細書に組み込まれる、2018年2月13日に中国国家知識産権局に出願された、「DATA ROUTE SELECTION METHOD AND APPARATUS」と題された、中国特許出願第201810150966.1号の優先権を主張するものである。
【０００２】
本出願は、通信技術の分野に関し、詳細には、データ経路選択方法および装置に関する。
【背景技術】
【０００３】
多様な機能に対するユーザの要求に合わせるために、通信技術、特に、端末の人気の発展に伴って、様々なアプリケーションプログラムが出現した。現在、アプリケーションプログラムのデータ送信のために、端末は、アプリケーションプログラムの様々な機能を実装するように、ネットワーク側とデータを交換するためにPDUセッションを確立してもよい。ネットワーク側と端末との間のデータ交換のためのリソースがこのデータ交換プロセスにおいて制限されていることを考慮して、各アプリケーションプログラムのデータ送信要件に合わせるために、ネットワーク側は、アプリケーションプログラムのデータ送信プロセスを実施するために、アプリケーションプログラムがデータ送信を実行することを要求する順序に従って、アイドルリソースを呼び出してもよい。このようにして、比較的後にデータ送信要求を開始するアプリケーションプログラムについて、アプリケーションプログラムのデータ送信は、アイドルリソースがネットワーク側に割り振られた後にのみ実施されうる。言い換えれば、比較的後にデータ送信要求を開始するアプリケーションプログラムについて、データ送信遅延が延長される。
【発明の概要】
【課題を解決するための手段】
【０００４】
本出願の実施形態は、比較的後にデータ送信要求を開始するアプリケーションプログラムに関する過度に長い送信遅延の問題を解決するために、データ経路選択方法および装置を提供する。
【０００５】
上記の目的を達成するために、本出願の実施形態において以下の技術的解決策が使用される。
【０００６】
第1の態様によれば、本出願の実施形態は、データ経路選択方法を提供する。方法は、アプリケーションに関する情報がトラフィック記述子と一致することを検出した後、端末は、第1のPDUセッションにおいてアプリケーションのトラフィックをルーティングするように、アプリケーションのための第1の経路選択構成要素(RSC)を決定してもよい。第1のPDUセッションは、第1の経路選択構成要素と一致する。このようにして、ネットワーク側が各アプリケーションのための対応するリソースを予約しないので、アプリケーションのトラフィックが、アイドルリソースが存在した後にのみアイドルリソースを呼び出すことによって送信されうることを回避するために、アプリケーションのトラフィックは、予約されたリソースにおいて送信されうる。
【０００７】
一例において、アプリケーションの情報は、アプリケーションのインターネットプロトコル(IP)3タプル、またはアプリケーションの識別子IDを含む。このようにして、端末は、アプリケーションの情報内で搬送されたアプリケーションのIP3タプルまたはアプリケーションの識別子に基づいて、アプリケーションの情報が、アプリケーションに対応するURSP rule内のトラフィック記述子と一致するかどうかを判断することができる。
【０００８】
一例において、第1の経路選択構成要素は、第1の条件に一致する経路選択構成要素内で最も高い優先順位を有する経路選択構成要素である。第1の条件は、第1の経路選択構成要素情報内の単一ネットワークスライス選択支援情報S-NSSAIが、許可されたネットワークスライス選択支援情報(Allowed NSSAI)に属すること、および/または、第1の経路選択構成要素内のデータネットワーク名DNNがローカルアクセスデータネットワークLADNのDNNである場合、端末がLADNのサービスエリア内にあることを含む。以下のケースにおける経路選択構成要素が無効な経路選択構成要素または利用できない経路選択構成要素、具体的には、この選択プロセスにおいて使用されない経路選択構成要素として端末によって設定された経路選択構成要素であることを端末が決定したことが分かり得る。ケース1:経路選択構成要素は、少なくとも1つのS-NSSAIを含み、すべてのS-NSSAIがAllowed NSSAIに属しているというわけではない。Allowed NSSAIは、データサービスを要求するために端末によって使用されてもよいS-NSSAIであり、端末に関するネットワークエンティティ(例えば、AMF)によって提供される。ケース2:経路選択構成要素は、DNNを含み、DNNは、LADNのDNNであり、端末は、LADNのサービスエリア内にない。有効な経路選択構成要素または利用可能な経路選択構成要素は、ケース1とケース2とに基づくフィルタリングを通じてURSP ruleから取得されうる。次いで、端末は、第1の経路選択構成要素として、フィルタリングを通じて取得された有効な経路選択構成要素または利用可能な経路選択構成要素から最も高い優先順位を有する経路選択構成要素を選択する。
【０００９】
一例において、第1の経路選択構成要素と一致する第1のPDUセッションがない場合、端末は、第1の経路選択構成要素に基づいて第1のPDUセッションを確立する。確立されたPDUセッションにおいて第1の経路選択構成要素と一致するセッションがないことが分かり得る。したがって、端末が第1の経路選択構成要素と一致する第1のPDUセッションにおいてアプリケーションのトラフィックをルーティングすることを可能にするために、端末は、アプリケーションのための対応するPDUセッションを確立してもよく、具体的には、端末は、第1の経路選択構成要素に基づいて第1のPDUセッションを確立してもよい。
【００１０】
一例において、端末が第1の経路選択構成要素に基づいてPDUセッションを確立した後、端末は、第1のメッセージを受信してもよい。第1のメッセージは、端末によって第1のPDUセッションを確立することが許容されることを示すために使用される。したがって、端末が第1の経路選択構成要素と一致する第1のPDUセッションにおいてアプリケーションのトラフィックをルーティングすることは、以下のように実施されてもよい。第1のメッセージ内で搬送されたPDUセッションパラメータが第1の経路選択構成要素と一致する場合、端末は、第1の経路選択構成要素と一致する第1のPDUセッションにおいてアプリケーションのトラフィックをルーティングする。
【００１１】
一例において、端末は、第2の経路選択構成要素に基づいて第2のPDUセッションを確立し、端末によって第2のPDUセッションを確立することが拒否された場合、端末は、第1の経路選択構成要素を決定する。第2のPDUセッションを確立するための端末の要求がネットワーク側によって拒否されることがあることを考慮して、第2の経路選択構成要素を使用することによって第2のPDUセッションを正常に確立することができない場合、第1の経路選択構成要素を決定した後、端末は、第1の経路選択構成要素と一致する第1のPDUセッションにおいてアプリケーションのトラフィックをルーティングするために、第1の経路選択構成要素を使用してもよい。同様に、確立されたPDUセッションが第1の経路選択構成要素と一致しない場合、端末は、第1の経路選択構成要素に基づいて第1のPDUセッションを確立してもよい。つまり、本出願のこの実施形態において、経路選択構成要素を選択するプロセスは、端末がアプリケーションのトラフィックがルーティングされうるPDUセッションを決定するまで、周期的に実行される。
【００１２】
一例において、端末は、第3の経路選択構成要素に基づいて第3のPDUセッションを確立し、次いで、端末は、第2のメッセージを受信してもよい。第2のメッセージは、端末によって第3のPDUセッションを確立することが許容されることを示すために使用される。第2のメッセージ内で搬送されたPDUセッションパラメータが第3の経路選択構成要素と一致しない場合、端末は、第1の経路選択構成要素を決定する。第3のPDUセッションを確立するための、端末からネットワーク側に送信される要求で搬送された第3の経路選択構成要素が、PDUセッションを確立するための端末の要件であるが、PDUセッションを確立するプロセスにおいて、ネットワーク側が端末によって送信された要件に完全に従って構成を必ずしも完了するとは限らないことを考慮すると、ネットワーク側によって確立されたPDUセッションのPDUセッションパラメータは、第3の経路選択構成要素と一致しない場合がある。端末が第3の経路選択構成要素を使用することによって第3のPDUセッションを正常に確立した後、第3のPDUセッションが第3の経路選択構成要素と一致しない場合、端末は、第1の経路選択構成要素を決定してもよい。
【００１３】
一例において、第2のメッセージ内で搬送されたPDUセッションパラメータが第3の経路選択構成要素と一致しないことは、以下のように実施されてもよい。第3の経路選択構成要素における連続性選択は、連続性モード1(SSC mode1)であり、第2のメッセージ内で搬送されるPDUセッションパラメータにおける連続性モードは、連続性モード2(SSC mode2)または連続性モード3(SSC mode3)などの、連続性モード1以外の連続性モードである。本出願のこの実施形態において、SSC mode1を選択することは、端末の移動中、SSC mode1におけるIP連続性が、SSC mode2およびSSC mode3におけるIP連続性よりもよいことを意味する。言い換えれば、SSC mode2およびSSC mode3と比較して、SSC mode1におけるIP中断の確率が最も低い。
【００１４】
一例において、第1のメッセージ内で搬送されるPDUセッションパラメータが第1の経路選択構成要素と一致しない場合、端末は、未使用のPDUセッションが過剰なリソースを専有するのを防ぎ、リソースの完全な利用を確実にするために、確立されたPDUセッションを解放してもよい。
【００１５】
一例において、第1の経路選択構成要素は、少なくとも1つのパラメータを含む。第1のPDUセッションが第1の経路選択構成要素と一致することは、以下のように実施されてもよい。第1の経路選択構成要素における各パラメータが1つの値に対応する場合、PDUセッションのパラメータは、第1の経路選択構成要素と同じであり、または、第1の経路選択構成要素における少なくとも1つのパラメータが少なくとも2つの値に対応する場合、PDUセッションのパラメータは、第1の経路選択構成要素に属する。
【００１６】
一例において、第2の条件が満たされた場合、端末は、アプリケーションの情報に対応するアプリケーションに関する第1の経路選択構成要素を決定する。第2の条件は、以下の少なくとも1つを含む。
【００１７】
アプリケーションは、有効にされ、これは、端末がアプリケーションの情報に対応するアプリケーションの実行を開始することを意味する。実行を開始するアプリケーションについて、端末は、アプリケーションに関する一致するPDUセッションを決定し、次いで、PDUセッションにおいてアプリケーションのトラフィックをルーティングしてもよい。
【００１８】
アプリケーションのトラフィックがルーティングされるPDUセッションが解放され、これは、端末の既存のPDUセッションが解放されることを意味する。既存のPDUセッションが解放された後、セッションにおいてルーティングされたトラフィックに対応するアプリケーションは、データ送信のためのPDUセッションを再選択する必要がある。したがって、端末は、アプリケーションのトラフィックについて、ルーティングに使用することができるPDUセッションを再決定することができる。
【００１９】
端末は、LADNのサービスエリアに出入りする。PDUセッションは、いくつかの特定の場所(例えば、LADN、ローカルアクセスネットワーク内)においてのみ使用されることができ、したがって、端末がLADNのサービスエリアを離れると、PDUセッションのこの部分は、使用し続けることができない。したがって、端末は、アプリケーションのトラフィックについて、ルーティングに使用されることができるPDUセッションを再決定することができる。同様に、端末がLADNのサービスエリアに入ると、端末は、現在の場所におけるLADNのDNNに対応するPDUセッションを使用する。したがって、端末は、アプリケーションのトラフィックについて、ルーティングに使用されることができるPDUセッションを再決定することができる。
【００２０】
端末は、非3GPPカバレッジエリアに出入りし、これは、端末が3GPPカバレッジエリアから非3GPPカバレッジエリアに入ることと、端末が非3GPPカバレッジエリアから3GPPカバレッジエリアに入ることとを含む。非3GPPカバレッジエリアは、端末がWi-Fiを介して5Gコアネットワークに接続されていることを意味する。
【００２１】
端末のネットワーク規格は、限定はしないが、3G通信ネットワーク、4G通信ネットワーク、5G通信ネットワークなどを含む。端末のネットワーク規格は変化し、これは、端末にサービスを行うコアネットワークが、進化型パケットコアネットワークEPCから第5世代コアネットワーク5GCに変化することを意味する。例えば、端末は、4G通信ネットワークのセルと5G通信ネットワークのセルとの間を移動し、端末のモビリティ管理エンティティは、MMEからAMFに変化する。具体的には、端末は、EPCからデータサービスを取得することから、5GCからデータサービスを取得することに変化する。
【００２２】
加えて、実装形態において、第2の条件は、端末の登録エリアが変化することをさらに含んでもよい。端末の登録エリアが変化することは、端末が元の登録エリアから新しい登録エリアに入ることを意味する。登録エリアは、5Gコアネットワーク要素、具体的には、アクセスおよびモビリティ管理機能AMFエンティティによって端末に割り振られたサービスエリアである。登録エリアを出た後、端末は、ネットワーク側への登録プロセスを再開する必要がある。
【００２３】
第2の態様によれば、本出願の実施形態は、PDUセッションルーティング方法を提供する。方法は、端末によって、アプリケーションに関する情報であり、トラフィック記述子と一致する情報を検出するステップと、端末によって、アプリケーションの情報に対応するアプリケーションに関する第1の経路選択構成要素を決定するステップと、端末によって、第1の経路選択構成要素に一致するプロトコルデータユニットPDUセッションにおいてアプリケーションのトラフィックをルーティングするステップとを含む。
【００２４】
一例において、アプリケーションの情報は、アプリケーションのインターネットプロトコルIP3タプル、またはアプリケーションの識別子IDを含む。
【００２５】
一例において、第1の経路選択構成要素は、予め設定された条件に一致する経路選択構成要素において最も高い優先順位を有する経路選択構成要素であり、予め設定された条件は、経路選択構成要素情報内の単一ネットワークスライス選択支援情報S-NSSAIが、許可されたネットワークスライス選択支援情報NSSAIに属すること、および/または、経路選択構成要素情報内のデータネットワーク名DNNがローカルアクセスデータネットワークLADNのDNNである場合、端末がLADNのサービスエリア内に位置することを含む。
【００２６】
一例において、方法は、第1の経路選択構成要素と一致するPDUセッションがない場合、端末によって、第1の経路選択構成要素に基づいてPDUセッションを確立するステップをさらに含む。
【００２７】
一例において、方法は、端末によってPDUセッションを確立するステップが拒否された場合、端末によって、第2の経路選択構成要素を決定するステップをさらに含み、第2の経路選択構成要素は、第1の経路選択構成要素以外の、予め設定された条件に一致する経路選択構成要素において最も高い優先順位を有する経路選択構成要素である。
【００２８】
一例において、端末によって、第1の経路選択構成要素に基づいてPDUセッションを確立するステップの後、方法は、端末によって、第1のメッセージを受信するステップであって、第1のメッセージが、端末によってPDUセッションを確立することが許容されることを示すために使用される、ステップをさらに含み、端末によって、第1の経路選択構成要素と一致するPDUセッションにおいてアプリケーションのトラフィックをルーティングするステップは、第1のメッセージ内で搬送されたPDUセッションパラメータが第1の経路選択構成要素と一致する場合、端末によって、第1の経路選択構成要素と一致するPDUセッションにおいてアプリケーションのトラフィックをルーティングするステップを含む。
【００２９】
一例において、第1のメッセージ内で搬送されたPDUセッションパラメータが第1の経路選択構成要素と一致しない場合、方法は、端末によって、第2の経路選択構成要素を決定するステップをさらに含み、第2の経路選択構成要素は、第1の経路選択構成要素以外の、予め設定された条件に一致する経路選択構成要素において最も高い優先順位を有する経路選択構成要素である。
【００３０】
一例において、第1のメッセージ内で搬送されたPDUセッションパラメータが第1の経路選択構成要素と一致しない場合、方法は、端末によって、確立されたPDUセッションを解放するステップをさらに含む。
【００３１】
一例において、端末によって第1の経路選択構成要素を決定するタイミングは、以下、すなわち、端末がアプリケーションを有効にすること、端末の登録エリアが変化すること、端末が非第3世代パートナーシッププロジェクトの非3GPPカバレッジエリアに出入りすること、および、端末のネットワーク規格が変化すること、のうちの少なくとも1つを含む。
【００３２】
一例において、第1の経路選択構成要素と一致するPDUセッションは、第1の経路選択構成要素における各パラメータが1つの値に対応する場合、PDUセッションのパラメータが第1の経路選択構成要素と同じであること、または、第1の経路選択構成要素における少なくとも1つのパラメータが少なくとも2つの値に対応する場合、PDUセッションのパラメータが第1の経路選択構成要素に属すること、を含む。
【００３３】
第3の態様によれば、本出願の実施形態は、データ経路選択装置を提供する。装置は、前述の方法の実施形態において実装された機能を実装することができる。機能は、ハードウェアによって実装されてもよく、または、対応するソフトウェアをハードウェアによって実行することによって実装されてもよい。ハードウェアまたはソフトウェアは、前述の機能に対応する1つ以上のモジュールを含む。
【００３４】
第4の態様によれば、本出願の実施形態は、端末を提供する。端末の構造は、表示画面と、メモリと、1つ以上のプロセッサと、複数のアプリケーションプログラムと、1つ以上のプログラムとを含む。1つ以上のプログラムは、メモリ内に記憶される。1つ以上のプロセッサが1つ以上のプログラムを実行すると、端末は、第1の態様および第1の態様の様々な例のうちの1つに係る方法を実施することが可能になる。
【００３５】
第5の態様によれば、本出願の実施形態は、命令を含む読み取り可能な記憶媒体を提供する。命令が端末上で実行されると、端末は、第1の態様および第1の態様の様々な例のうちの1つに係る方法を実行することが可能になる。
【００３６】
第6の態様によれば、本出願の実施形態は、コンピュータプログラム製品を提供する。コンピュータプログラム製品は、ソフトウェアコードを含み、ソフトウェアコードは、第1の態様および第1の態様の様々な例のうちの1つに係る方法を実行するために使用される。
【図面の簡単な説明】
【００３７】
【図１】本出願の実施形態に係る第1のタイプの端末の概略構造図である。
【図２】本出願の実施形態に係るデータ経路選択方法のフローチャートである。
【図３】本出願の実施形態に係るデータ経路選択装置の概略構造図である。
【図４】本出願の実施形態に係る第2のタイプの端末の概略構造図である。
【発明を実施するための形態】
【００３８】
以下は、添付図面を参照して本出願についてさらに詳細に説明する。方法の実施形態における特定の動作方法は、装置の実施形態またはシステムの実施形態にも適用されてもよい。本出願において、「例示的」または「例えば」という単語は、例、実例、または説明を与えるために使用されることに留意すべきである。本出願において「例示的」または「例えば」として説明される任意の実施形態または設計方式は、別の実施形態または設計方式よりも好ましいとして、またはより多くの利点を有するものとして説明されるべきではない。正確には、「例示的」、「例」などの単語の使用は、関連する概念を特定の方法で提示することを意図している。
【００３９】
本出願において説明されるシステムアーキテクチャおよびサービスシナリオは、本出願の技術的解決策をより明確に説明することを意図しており、本出願において提供される技術的解決策に対するいかなる制限も構成しない。当業者は、システムアーキテクチャの進化および新しいサービスシナリオの出現により、本出願において提供される技術的解決策が同様の技術的問題にも適用可能であることを知っていてもよい。例えば、本出願は、第2世代(2nd Generation、2G)通信ネットワーク、第3世代(3rd Generation、3G)通信ネットワーク、第4世代(4th Generation、4G)通信ネットワーク、第5世代(5th Generation、5G)通信ネットワーク、およびその後の進化したネットワークに適用されてもよい。
【００４０】
本出願の実施形態は、端末に対して使用されてもよい。端末は、ラップトップコンピュータ、スマートフォン、仮想現実(Virtual Reality、VR)デバイス、拡張現実(Augmented Reality、AR)デバイス、車載デバイス、スマートウェアラブルデバイス、または他のデバイスを含んでもよい。端末には、少なくとも表示画面、入力デバイス、およびプロセッサとが備えられてもよい。図1に示すように、例として端末100を使用すると、端末100は、プロセッサ101、メモリ102、カメラ103、RF回路104、オーディオ回路105、スピーカ106、マイクロフォン107、入力デバイス108、別の入力デバイス109、表示画面110、タッチパネル111、表示パネル112、出力デバイス113、および電源114などの構成要素を含む。表示画面110は、少なくとも、入力デバイスとして使用されるタッチパネル111と、出力デバイスとして使用される表示パネル112とを含む。図1に示す端末構造は、端末に対する制限を構成せず、端末は、図に示すものよりも多いもしくは少ない構成要素を含んでもよく、または、いくつかの構成要素が組み合わされてもよく、または、いくつかの構成要素が分割されてもよく、または、異なる構成要素構成が使用されてもよいことに留意すべきである。これは、本明細書では限定されない。
【００４１】
以下は、図1を参照して、端末100の構成要素について詳細に説明する。
【００４２】
無線周波数(Radio Frequency、RF)回路104は、情報送信および受信プロセスまたは呼プロセス中に信号を送信および受信するように構成されてもよい。例えば、端末100がモバイルフォンである場合、基地局によって送信されたダウンリンク情報を、RF回路104を使用することによって受信した後、端末100は、RF回路104を使用することによって、ダウンリンク情報を処理するためにプロセッサ101に送信し得、RF回路104を使用することによって、関連するアップリンクデータを基地局に送信してもよい。一般に、RF回路は、限定はしないが、アンテナ、少なくとも1つの増幅器、トランシーバ、カプラ、低雑音増幅器(Low Noise Amplifier、LNA)、デュプレクサなどを含む。加えて、RF回路104は、ワイヤレス通信を介してネットワークおよび別のデバイスとも通信してもよい。限定はしないが、グローバル・システム・フォー・モバイル・コミュニケーションズ(Global System for Mobile Communications、GSM)、汎用パケット無線サービス(General Packet Radio Service、GPRS)、符号分割多元接続(Code Division Multiple Access、CDMA)、広帯域符号分割多元接続(Wideband Code Division Multiple Access、WCDMA)、ロングタームエボリューション(Long Term Evolution、LTE)、電子メール、ショートメッセージサービス(Short Messaging Service、SMS)などを含む任意の通信規格またはプロトコルがワイヤレス通信のために使用されてもよい。
【００４３】
メモリ102は、ソフトウェアプログラムおよびモジュールを記憶するように構成されてもよい。プロセッサ101は、端末100の様々な機能アプリケーションおよびデータ処理を実行するように、メモリ102内に記憶されたソフトウェアプログラムおよびモジュールを実行する。メモリ102は、プログラム記憶エリアとデータ記憶エリアとを主に含んでもよい。プログラム記憶エリアは、オペレーティングシステム、少なくとも1つの機能(例えば、音声再生機能および画像表示機能)によって必要とされるアプリケーションプログラムなどを記憶してもよい。データ記憶エリアは、端末100の使用に基づいて作成されたデータ(例えば、オーディオデータおよびビデオデータ)などを記憶してもよい。加えて、メモリ102は、高速ランダムアクセスメモリを含んでもよく、少なくとも1つの磁気ディスク記憶デバイスなどの不揮発性メモリ、フラッシュメモリデバイス、または別の揮発性ソリッドステート記憶デバイスをさらに含んでもよい。
【００４４】
別の入力デバイス109は、入力数字または文字情報を受信し、端末100のユーザ設定および機能制御に関連するキー信号入力を生成するように構成されてもよい。具体的には、別の入力デバイス109は、限定はしないが、物理キーボード、ファンクションキー(ボリュームコントロールキーまたはオン/オフキーなど)、トラックボール、マウス、ジョイスティック、および光学式マウス(光学式マウスは、視覚出力を表示しないタッチ感知表面、またはタッチスクリーンによって形成されるタッチ感知表面の延長である)の1つ以上を含んでもよい。別の入力デバイス109は、重力センサまたは加速度センサなどの、端末100内に組み込まれたセンサをさらに含んでもよい。端末100は、センサによって検出されたパラメータを入力データとしてさらに使用してもよい。
【００４５】
表示画面110は、ユーザによって入力された情報またはユーザに提供される情報と、端末100の様々なメニューとを表示するように構成されてもよく、ユーザ入力も受信してもよい。加えて、表示パネル112は、液晶ディスプレイ(Liquid Crystal Display、LCD)、有機発光ダイオード(Organic Light-Emitting Diode、OLED)などの形態において構成されてもよい。タッチスクリーン、タッチ感知スクリーンなどとも呼ばれるタッチパネル111は、タッチパネル111上またはその近くでユーザによって実行されたタッチ操作または非タッチ操作を収集し(例えば、指、スタイラス、もしくは任意の他の適切な物体もしくはアクセサリを使用してタッチパネル111上もしくはタッチパネル111の近くでユーザによって実行された操作、または、体性感覚操作であり、操作は、単一点制御操作および多点制御操作などの操作タイプを含む)、予め設定されたプログラムに従って対応する接続装置を駆動してもよい。タッチパネル111は、2つの部分、すなわち、タッチ検出装置とタッチコントローラとをさらに含んでもよいことに留意すべきである。タッチ検出装置は、ユーザのタッチ位置および姿勢を検出し、タッチ操作によって生成された信号を検出し、信号をタッチコントローラに送信する。タッチコントローラは、タッチ検出装置からタッチ情報を受信し、タッチ情報をプロセッサ101によって処理されうる情報に変換し、情報をプロセッサ101に送信し、プロセッサ101によって送信されたコマンドを受信してコマンドを実行することができる。加えて、タッチパネル111は、抵抗型、静電容量型、赤外線型、および表面弾性波型などの複数のタイプにおいて実装されてもよく、または、タッチパネル111は、将来に開発される任意の技術を使用することによって実装されてもよい。一般に、タッチパネル111は、表示パネル112を覆ってもよい。ユーザは、表示パネル112上に表示されたコンテンツ(表示されたコンテンツは、限定はしないが、ソフトキーボード、仮想マウス、仮想キー、アイコンなどを含む)に従って、表示パネル112を覆うタッチパネル111上またはその近くで操作を実行してもよい。タッチパネル111上またはその近くで実行された操作を検出した後、タッチパネル111は、ユーザ入力を決定するために、操作に関する情報をプロセッサ101に送信し、次いで、プロセッサ101は、ユーザ入力に基づいて、対応する視覚出力を表示パネル112上に提供する。図1において、タッチパネル111および表示パネル112は、端末100の入力および出力機能を実装するために2つの独立した構成要素として使用される。しかしながら、いくつかの実施形態において、タッチパネル111および表示パネル112は、端末100の入力および出力機能を実装するために統合されてもよい。
【００４６】
RF回路104、スピーカ106、およびマイクロフォン107は、ユーザと端末100との間のオーディオインターフェースを提供してもよい。オーディオ回路105は、受信したオーディオデータを変換することによって取得される信号をスピーカ106に送信してもよい。スピーカ106は、信号を音声信号に変換し、音声信号を出力する。加えて、マイクロフォン107は、収集した音声信号を信号に変換してもよい。オーディオ回路105は、信号を受信し、信号をオーディオデータに変換し、オーディオデータを、例えば、別の端末に送信するために、オーディオデータをRF回路104に出力し、または、プロセッサ101がメモリ102内に記憶されたコンテンツに基づいてさらなる処理を実行するように、オーディオデータをメモリ102に出力する。加えて、カメラ103は、リアルタイムで画像フレームを収集し、画像フレームを処理するためにプロセッサ101に送信し、処理の結果をメモリ102に記憶し、および/または、表示パネル112を介して処理の結果をユーザに提示してもよい。
【００４７】
プロセッサ101は、端末100の制御センターであり、様々なインターフェースおよびラインを使用することによって端末100全体の様々な部分に接続され、端末100の様々な機能を実行し、端末100において全体的な監視を実行するように、メモリ102内に記憶されたソフトウェアプログラムおよび/またはモジュールを実行し、メモリ102内に記憶されたデータを呼び出すことによって、データを処理する。プロセッサ101は、1つ以上の処理ユニットを含んでもよいことに留意すべきである。アプリケーションプロセッサおよびモデムプロセッサが、プロセッサ101にさらに統合されてもよい。アプリケーションプロセッサは、主にオペレーティングシステム、ユーザインターフェース(User Interface、UI)、アプリケーションプログラムなどを処理する。モデムプロセッサは、主にワイヤレス通信を処理する。モデムプロセッサは、代替的には、プロセッサ101に統合さなくてもよいことが理解されうる。
【００４８】
端末100は、各構成要素に電力を供給する電源114(例えば、バッテリ)をさらに含んでもよい。本出願のこの実施形態において、電源114は、充電、放電、および電力消費管理などの機能が、電源管理システムを使用することによって実装されるように、電源管理システムを使用することによってプロセッサ101に論理的に接続されてもよい。
【００４９】
加えて、図1は、図示されていない構成要素をさらに含む。例えば、端末100は、Bluetoothモジュールなどをさらに含んでもよく、詳細については、ここでは説明しない。
【００５０】
本出願の実施形態において、端末は、既存のプロトコルデータユニットセッション(Protocol Data Unit Session、PDU Session)、または、UE経路選択ポリシールール(UE Route Selection Policy information rule、URSP rule)において定義された異なるルールに従う新たに確立されたPDUセッションにおいて、アプリケーションのトラフィック(traffic)をルーティングしてもよい。
【００５１】
アプリケーションについて、アプリケーションが端末のURSP ruleのトラフィック記述子(traffic descriptor)と一致する場合、端末が、URSP ruleにおける経路選択記述子(route selection descriptor)内に記録された経路選択構成要素(route selection components)に基づいて、対応するPDUセッションにおいてアプリケーションのトラフィックをルーティングしてもよいことが、分かり得る。
【００５２】
前述したことは、端末によって確立された1つ以上のPDUセッションがあることを意味する。端末におけるPDUセッションのうちの1つのパラメータが、選択された経路選択構成要素と一致する場合、端末は、アプリケーションをPDUセッションに関連付けられてもよい。端末において確立されたPDUセッションのいずれも、選択された経路選択構成要素と一致しない場合、端末は、選択された経路選択構成要素に基づいて新しいPDUセッションを確立する。端末が新しいPDUセッションを確立すると、データサービスをサポートするように、PDUセッションを確立するようにネットワーク側に要求するために、選択された経路選択構成要素、例えば、単一ネットワークスライス選択支援情報(Single Network Slice Selection Assistance information、S-NSSAI)、以下では略して連続性モードと呼ばれるセッションおよびサービス連続性モード(Session and Service Continuity Mode、SSC Mode)、データネットワーク名(Data Network Name、DNN)、およびPDUタイプ(PDU type)に基づいて、端末は、PDUセッション要求におけるパラメータの値を設定する。
【００５３】
以下は、例を使用することによってデータ経路選択プロセスについて説明する。データ経路選択プロセスは、限定はしないが、端末が、アプリケーションのトラフィックのためのPDUセッションを選択し、対応するPDUセッションにおいてアプリケーションのトラフィックをルーティングするプロセスを含む。
【００５４】
図2は、本出願の実施形態に係るデータ経路選択方法のフローチャートである。方法の手順は、S201〜S203を含む。
【００５５】
S201. 端末は、アプリケーションに関する情報がトラフィック記述子と一致することを検出する。
【００５６】
トラフィック記述子情報は、端末によってローカルにURSP rule内に記憶されうる。本出願のこの実施形態において、端末は、各アプリケーションに対応するURSP ruleを事前にローカルに記憶してもよい。それは、1つのアプリケーションが、あるいは、表1に示すURSP ruleに対応することを意味する。表1は、本出願の実施形態において提供されるURSP ruleの例示的なデータ構造をリストしている。
【表１】
2021513824.tif 000003
【００５７】
表1におけるURSP rule優先度(Rule Precedence)は、このURSP ruleが端末において実行される優先順位を決定するために使用される。
【００５８】
表2は、本出願の実施形態において提供されるトラフィック記述子の例示的なデータ構造をリストしている。
【表２】
2021513824.tif 000004
【００５９】
アプリケーションについて、端末がアプリケーションをアクティブ化した後、アプリケーションは、表2においてリストされたアプリケーション識別子(application identifiers、APP ID)を端末にブロードキャスト/送信する。アプリケーションが実行されている場合、アプリケーションによって端末を介してネットワーク側に送信されるデータは、表2においてリストされたIP記述子(IP descriptors)または非IP記述子(non-IP descriptors)を搬送してもよい。IP記述子に関する説明は、非IP記述子に関する説明と同様である。IP記述子は記述のための例として使用される。
【００６０】
本出願のこの実施形態において、IP記述子は、IP3タプルでありうる。IP3タプルは、アプリケーションがネットワーク側に送信することを試みるデータパケットの、宛先IPアドレスまたは宛先IPv6ネットワークプレフィックスと、宛先ポート番号と、伝送制御プロトコル(Transmission Control Protocol、TCP)/ユーザデータグラムプロトコル(User Datagram Protocol、UDP)などの、IPよりも上位のプロトコルの識別子とを含む。
【００６１】
S201において、端末は、アプリケーションの情報がトラフィック記述子と一致することを検出することに留意されたい。「検出」は、アプリケーションの識別子がトラフィック記述子におけるアプリケーション識別子と同じであるか、または、アプリケーションのトラフィックにおけるIPアドレスがトラフィック記述子におけるIPアドレスと同じであることを意味する。したがって、本出願のこの実施形態において、アプリケーションの情報は、アプリケーションのIP3タプルまたはアプリケーションの識別子を含んでもよい。このようにして、端末は、アプリケーションの情報内で搬送されたアプリケーションのIP3タプルまたはアプリケーションの識別子に基づいて、アプリケーションの情報が、アプリケーションに対応するローカルに記憶されたURSP ruleにおけるトラフィック記述子と一致するかどうかを決定することができる。次いで、アプリケーションの情報がトラフィック記述子と一致する場合、端末は、S202を実行することができる。
【００６２】
表1において、1つのURSP ruleは、1つ以上の経路選択記述子を含んでもよい。言い換えれば、1つのURSP ruleは、少なくとも1つの経路選択記述子を含む。例として経路選択記述子を使用して、表3は、本出願の実施形態において提供される経路選択記述子の例示的なデータ構造をリストしている。
【表３】
2021513824.tif 000005
【００６３】
表3における経路選択構成要素は、連続性選択(SSC mode selection)、ネットワークスライス選択(network slice selection)、データネットワーク名選択(data network name selection、DNN selection)、非シームレスオフロード指示(non-seamless offload indication)、アクセスタイプ選好(access type preference)、およびPDUタイプなどの情報を含む。
【００６４】
本出願のこの実施形態において、連続性選択は、SSC mode値またはSSC mode値のリストを含む。SSC modeは、連続性モードである。例えば、SSC mode1、SSC mode2、およびSSC mode3が、5G通信システムにおいて定義されている。SSC mode1において、PDUセッションのIPアドレスが5Gネットワークカバレッジ内で変化しないことを保証することができる。SSC mode2において、5Gネットワークカバレッジ内で、PDUセッションが切断された後、PDUセッションのための新しいIPアドレスが取得されることを保証することができる。SSC mode3において、5Gネットワークカバレッジ内で、PDUセッションが切断される前に、PDUセッションのための新しいIPアドレスが取得されていることを保証することができる。本出願のこの実施形態において、SSC mode1を選択することは、端末の移動中、SSC mode1におけるIP連続性が、SSC mode2およびSSC mode3におけるIP連続性よりも優れていることを意味する。言い換えれば、SSC mode2およびSSC mode3と比較して、SSC mode1におけるIP中断の確率が最も低い。ネットワークスライス選択は、S-NSSAI値またはS-NSSAI値のリストを含む。データネットワーク名選択は、DNN値またはDNN値のリストを含む。非シームレスオフロード指示は、非3GPPアクセス技術を使用すること(例えば、公衆Wi-Fiを介して公衆データネットワークに接続すること)によってデータ通信を取得する必要があることを示すために使用される。アクセスタイプ選好は、1つまたは2つのアクセスタイプ値を含む。アクセスタイプは、3GPPアクセスと非3GPPアクセスとを含む。5G通信ネットワークにおいて、3GPPアクセスは、端末が、ロングタームエボリューション(Long Term Evolution、LTE)無線インターフェース技術または5G無線インターフェース技術(Next Generation Radio Access Network、NG-RAN)を使用することによってアクセスを実行することを指し、非3GPPアクセスは、端末が、Wi-Fiを介して5Gコアネットワークを使用することによって、例えば、それに接続する
ことによって(非3GPP ANが5Gコアネットワークに接続することによって)アクセスを実行することを示す。PDUタイプ情報は、1つ以上のPDUタイプを含む。PDUタイプは、IP、IPv4、IPv6、イーサネットタイプ(Ethernet type)、未定義タイプ、非構造化(unstructured)タイプなどを含む。
【００６５】
S202. 端末は、その情報が一致するとみなされるアプリケーションのための第1の経路選択構成要素を決定する。
【００６６】
一実装形態において、第2の条件が満たされた場合、端末は、その情報が一致するとみなされるアプリケーションのための第1の経路選択構成要素を決定する。第2の条件は、以下のうちの少なくとも1つを含む。
【００６７】
アプリケーションは、有効にされ、これは、端末がアプリケーションの実行を開始し、アプリケーションの情報は、一致するとみなされることを意味する。アプリケーションが実行を開始した後、端末は、アプリケーションに関する対応するPDUセッションを決定し、次いで、PDUセッションにおいてアプリケーションのトラフィックをルーティングする。
【００６８】
アプリケーションのトラフィックがルーティングされるPDUセッションが解放され、これは、端末の既存のPDUセッションが解放されることを意味する。既存のPDUセッションが解放された後、セッションを現在使用しているアプリケーションは、データ送信のためのPDUセッションを再選択する必要がある。したがって、端末は、アプリケーションのトラフィックについて、ルーティングのために使用することができるPDUセッションを再決定することができる。
【００６９】
端末は、LADNのサービスエリアに出入りする。PDUセッションは、いくつかの特定の場所(例えば、LADN、ローカルアクセスネットワーク内)においてのみ使用することができ、したがって、端末がLADNのサービスエリアを離れると、このLADNに関連するPDUセッションは、使用し続けることができない。したがって、端末は、アプリケーションのトラフィックについて、ルーティングに使用することができるPDUセッションを再決定することができる。同様に、端末がLADNのサービスエリアに入ると、端末は、現在の場所におけるLADNのDNNに対応するPDUセッションを使用する。したがって、端末は、アプリケーションのトラフィックについて、ルーティングに使用することができるPDUセッションを再決定することができる。
【００７０】
端末は、非3GPPカバレッジエリアに出入りし、これは、端末が3GPPカバレッジエリアから非3GPPカバレッジエリアに入ることと、端末が非3GPPカバレッジエリアから3GPPカバレッジエリアに入ることとを含む。非3GPPカバレッジエリアは、端末がWi-Fiを介して5Gコアネットワークに接続されていることを意味する。
【００７１】
端末のネットワーク規格は、限定はしないが、3G通信システム、4G通信システム、5G通信システムなどを含む。端末のネットワーク規格は、変更され、これは、端末にサービスを行うコアネットワークが、進化型パケットコアネットワーク(Evolved Packet Core network、EPC)から第5世代コアネットワーク(The 5th Generation Core Network、5GC)に変更されることを意味する。例えば、端末は、4G通信ネットワークのセルと5G通信ネットワークのセルとの間を移動し、端末のモビリティ管理エンティティは、MME(Mobility Management Entity)からAMFに変化する。具体的には、端末は、EPCからデータサービスを取得することから、5GCからデータサービスを取得することに変化する。
【００７２】
加えて、実装形態において、第2の条件は、端末の登録エリア(registration area)が変化することをさらに含むことができる。端末の登録エリアが変化することは、端末が元の登録エリアから新しい登録エリアに入ることを意味する。登録エリアは、5Gコアネットワークからのエンティティ、具体的には、アクセスおよびモビリティ管理機能(Access and Mobility Management function、AMF)エンティティによって端末に割り振られたサービスエリアである。登録エリアを出た後、端末は、ネットワーク側への登録プロセスを再開する必要がある。
【００７３】
第1の経路選択構成要素は、第1の条件に一致する。第1の条件は、以下の少なくとも1つを含む。
【００７４】
第1の経路選択構成要素におけるS-NSSAIは、許可されたネットワークスライス選択支援情報(Allowed Network Slice Selection Assistance information、Allowed NSSAI)に属し、および/または、経路選択構成要素情報内のDNNがLADNのDNNである場合、端末は、LADNのサービスエリア内にある。
【００７５】
一実装形態において、第1の経路選択構成要素は、第1の条件に一致する経路選択構成要素において最も高い優先順位を有する経路選択構成要素である。
【００７６】
本出願のこの実施形態において、アプリケーションの情報に対応するアプリケーションを決定した後、端末は、アプリケーションに対応するURSP ruleをローカルに決定することができる。次いで、端末は、URSP ruleにおいて、第1の条件に一致する経路選択構成要素を決定し、経路選択構成要素を第1の経路選択構成要素として決定する。このようにして、端末は、S202を実施する。
【００７７】
第1の経路選択構成要素を決定するために、条件の制限と、経路選択構成要素のリスト間の優先順位とが考慮される必要があることを考慮して、本出願のこの実施形態は、第1の経路選択構成要素を決定するための以下の実装形態を提供する。
【００７８】
一実装形態において、端末は、最初にフィルタリングして次いで選択する方法によって、経路選択構成要素のリストから第1の経路選択構成要素を決定することができる。端末が、URSP ruleに一致するアプリケーションの情報があることを決定した後、端末は、URSP ruleにおいてすべての経路選択構成要素に対してフィルタリングを実行する。端末は、以下のケースにおける経路選択構成要素が無効な経路選択構成要素または利用できない/使用できない経路選択構成要素、具体的には、この選択プロセスにおいて使用されない経路選択構成要素として端末によって設定された経路選択構成要素であることを決定する。ケース1:経路選択構成要素は、少なくとも1つのS-NSSAIを含み、この経路選択構成要素におけるすべてのS-NSSAIがAllowed NSSAIに属しているというわけではない。Allowed NSSAIは、データサービスを要求するために端末によって使用されてもよいS-NSSAIであり、端末に関するネットワークエンティティ(例えば、AMF)によって提供される。ケース2:経路選択構成要素は、DNNを含み、DNNは、LADNのDNNであり、端末は、LADNのサービスエリア内にない。有効な経路選択構成要素または利用可能な経路選択構成要素は、ケース1とケース2とに基づくフィルタリングを通じてURSP ruleから取得されうる。次いで、端末は、第1の経路選択構成要素として、フィルタリングを通じて取得された有効な経路選択構成要素または利用可能な経路選択構成要素から最も高い優先順位を有する経路選択構成要素を選択する。
【００７９】
別の実装形態において、端末は、最初に選択して次いでフィルタリングする方法によって、経路選択構成要素のリストから第1の経路選択構成要素を決定する。端末が、URSP ruleに一致するアプリケーションからの情報があることを決定した後、端末は、URSP ruleにおいて最も高い優先順位を有する経路選択構成要素を決定し、次いで、最も高い優先順位を有する選択された経路選択構成要素に対してフィルタリングを実行する。経路選択構成要素に対してフィルタリングを実行する方法は、前述の実装形態において使用されたフィルタリング方法と同様である。具体的には、端末は、前述のケース1およびケース2に一致する経路選択構成要素を、無効な経路選択構成要素または利用できない/使用できない経路選択構成要素として決定する。前述の説明に対して参照がなされてもよく、詳細についてここでは再び説明しない。最も高い優先順位を有する経路選択構成要素が、端末によって、フィルタリング後に、有効な経路選択構成要素または利用可能/使用可能な経路選択構成要素として決定されると、端末は、最も高い優先順位を有する経路選択構成要素を第1の経路選択構成要素として決定する。最も高い優先順位を有する経路選択構成要素が、端末によって、フィルタリング後に、無効な経路選択構成要素または使用できない経路選択構成要素として決定されると、端末は、URSP ruleにおいて経路選択構成要素の残りのリストから最も高い優先順位を有する経路選択構成要素、具体的には、以前に決定された最も高い優先順位を有する経路選択構成要素を除く現在のURSP ruleにおいて最も高い優先順位を有する経路選択構成要素、または、言い換えれば、現在のURSP ruleにおいて2番目に高い優先順位を有する経路選択構成要素を再決定することができる。次いで、端末は、具体的には、端末が、URSP ruleにおいて前述のケース1およびケース2に一致しない経路選択構成要素を見つけ、経路選択構成要素を第1の経路選択構成要素として決定するまで、再決定された経路選択構成要素に対してフィルタリングを実行する。
【００８０】
端末による、経路選択構成要素に関する前述の最初にフィルタリングして次いで選択する実装形態と、経路選択構成要素に関する前述の最初に選択して次いでフィルタリングする実装形態の両方が実装形態であることに留意すべきである。これは、本出願のこの実施形態に対する制限を構成しない。それは、端末が別の方法において第1の経路選択構成要素を代替的に決定することができることを意味する。
【００８１】
S203. 端末は、第1のPDUセッションにおいてアプリケーションのトラフィックをルーティングする。
【００８２】
第1のPDUセッションは、第1の経路選択構成要素と一致する。
【００８３】
第1の経路選択構成要素が少なくとも1つのパラメータを含み、第1の経路選択構成要素における各パラメータが単一の値または値のリストのいずれかを含むことに留意すべきである。
【００８４】
一実装形態において、第1のPDUセッションが第1の経路選択構成要素と一致することは、以下のように実施されてもよい。
【００８５】
第1の経路選択構成要素における各パラメータが1つの値のみを含む場合、PDUセッションのパラメータの値は、第1の経路選択構成要素における対応するパラメータの値と同一であり、または、第1の経路選択構成要素における少なくとも1つのパラメータが少なくとも2つの値を含む場合、PDUセッションのパラメータの値が、第1の経路選択構成要素の対応するパラメータの値に含まれる。
【００８６】
各パラメータが1つの値のみを含むことは、第1の経路選択構成要素における各パラメータが1つの値のみを有することを意味することに留意すべきである。例えば、連続性選択は、SSC mode1のみを含む。同様に、少なくとも1つのパラメータが少なくとも2つの値を含むことは、第1の経路選択構成要素における少なくとも1つのパラメータが2つ以上の値を有することを意味する。例えば、ネットワークスライス選択は、S-NSSAI 1とS-NSSAI 2とを含む。
【００８７】
1つの値のみを含むパラメータについて、パラメータは、PDUセッションのパラメータにおける同じタイプのパラメータと同じ値を有する。少なくとも2つの値を含むパラメータについて、PDUセッションのパラメータは、第1の経路選択構成要素内に含まれる。例として、ネットワークスライス選択という名前の1つのパラメータを取り上げる。ネットワークスライス選択という名前のパラメータが2つの値を含む場合、PDUセッションのネットワークスライスという名前のパラメータの値は、前述の2つの値のいずれかと同じである。具体的には、PDUセッションのパラメータにおけるネットワークスライスという名前のパラメータが、第1の経路選択構成要素におけるネットワークスライス選択という名前のパラメータ内に含まれる。
【００８８】
トラフィック記述子と一致するアプリケーションの情報を検出した後、端末が、第1の経路選択構成要素と一致するPDUセッションにおいてアプリケーションのトラフィックを次いでルーティングするために、アプリケーションに関する第1の経路選択構成要素を決定することが、分かり得る。このようにして、ネットワーク側が特定のアプリケーションのための対応するリソースを予約しないので、特定のアプリケーションのトラフィックが、リソースが利用可能になるまで待機しなければならず、次いで、送信されるという従来技術の問題を回避するために、アプリケーションのトラフィックは、カスタマイズされたネットワークリソースにおいて送信される。
【００８９】
一実装形態において、確立されたPDUセッションにおいて第1の経路選択構成要素と一致するセッションはない。端末が第1の経路選択構成要素と一致する第1のPDUセッションにおいてアプリケーションのトラフィックをルーティングすることを可能にするために、端末は、アプリケーションのための対応するPDUセッションを確立し、具体的には、端末は、第1の経路選択構成要素に基づいて第1のPDUセッションを確立する。
【００９０】
具体的には、PDUセッションを確立する要求をネットワーク側に送信するとき、端末は、第1の経路選択構成要素の値に要求を追加する。このようにして、端末によって送信された要求を受信すると、ネットワーク側は、端末とネットワーク側との間の接続を確立するために、第1の経路選択構成要素に基づいて、対応するネットワークリソースを選択する。次いで、ネットワーク側は、対応するPDUセッションのパラメータを端末に送信する。
【００９１】
PDUセッションを確立するための端末の要求がネットワーク側によって拒否されてもよいことを考慮して、端末が特定のアプリケーションのトラフィックをルーティングするために適切なPDUセッションを選択することができることを保証するために、第2の経路選択構成要素に基づいて端末によって第2のPDUセッションを確立することが拒否された場合、端末は、第1の経路選択構成要素を決定する。第1の経路選択構成要素は、第1の条件に一致する経路選択構成要素において最も高い優先順位を有する経路選択構成要素である。
【００９２】
第2の経路選択構成要素を決定する実装形態について、第1の経路選択構成要素を決定する前述の実装形態を参照することを留意すべきである。具体的には、端末は、最初にフィルタリングして次いで選択する方法または最初に選択して次いでフィルタリングする方法のいずれかにおいて第2の経路選択構成要素を決定する。
【００９３】
第2の経路選択構成要素を使用することによって第2のPDUセッションを正常に確立することができない場合、第1の経路選択構成要素を決定した後、第1の経路選択構成要素に基づいて、端末が、第1の経路選択構成要素に一致する第1のPDUセッションにおいてアプリケーションのトラフィックをルーティングすることが、分かり得る。
【００９４】
同様に、第3の経路選択構成要素に基づいて端末によって第3のPDUセッションを確立することが許容されるが、第3のPDUセッションが第3の経路選択構成要素と一致しない場合、端末は、第1の経路選択構成要素を決定し、第1の経路選択構成要素に基づいて第1のPDUセッションを確立する。第1のPDUセッションと第3のPDUセッションとを確立するプロセスについて、第1の経路選択構成要素に基づいて第1のPDUセッションを確立する前述のプロセスを参照されたい。詳細について、ここでは再び説明しない。
【００９５】
それは、端末が第2の経路選択構成要素または第3の経路選択構成要素のどちらに基づいてPDUセッションを決定または確立するかに関係なく、端末は、第2の経路選択構成要素または第3の経路選択構成要素に基づいて適切なPDUセッションを最終的に取得することができないので、端末がアプリケーションのトラフィックがルーティングされることができる第1のPDUセッションを決定するまで、端末は、優先順位に基づいてリストの経路選択構成要素において1つずつ試行することを意味する。
【００９６】
ネットワーク側が確立されたPDUセッションのパラメータを端末に送信することは、以下のように実施されてもよい。
【００９７】
ネットワーク側は、第2のメッセージを端末に送信し、次いで、端末は、第2のメッセージを受信する。第2のメッセージは、端末による第3のPDUセッションの確立が許容されることを示すために使用される。それは、端末が第2のメッセージを受信したとき、それが端末とネットワーク側との間の第3のPDUセッションが確立されたことを示すことを意味する。
【００９８】
同様に、ネットワーク側は、第1のメッセージを端末に送信し、次いで、端末は、第1のメッセージを受信する。第1のメッセージは、端末によって第1のPDUセッションを確立することが許容されることを示すために使用される。それは、端末が第1のメッセージを受信したとき、それが端末とネットワーク側との間のPDUセッションが確立されたことを示すことを意味する。
【００９９】
第1のPDUセッションは、使用されることができるPDUセッションであり、第1のPDUセッションは、端末からネットワーク側に送信された第1の経路選択構成要素に基づいて確立される。したがって、端末が、第1の経路選択構成要素と一致する第1のPDUセッションに基づいてアプリケーションのトラフィックをルーティングすることは、第1のメッセージ内に含まれるPDUセッションのパラメータが第1の経路選択構成要素と一致する場合、端末が第1の経路選択構成要素と一致する第1のPDUセッションにおいてアプリケーションのトラフィックをルーティングするように実施される。
【０１００】
第3のPDUセッションが使用されることができないPDUセッションである理由は、以下、すなわち、第3のPDUセッションを確立するための要求内に含まれ、端末によってネットワーク側に送信される第3の経路選択構成要素の値が、ネットワーク側が第3のPDUセッションを確立するプロセスにおいて使用されるパラメータと正確に同じではないことであることに留意すべきである。それは、ネットワーク側が、端末によって送信された要件に基づいて第3のPDUセッションを確立することを必ずしも完了しないことを意味する。したがって、確立された第3のPDUセッションのパラメータは、第3の経路選択構成要素と一致しない場合がある。
【０１０１】
例えば、第3の経路選択構成要素内の連続性選択がSSC mode1であり、ネットワークを設定した第3のPDUセッションのために使用される連続性モードがSSC mode以外の連続性モード、例えば、SSC mode2またはSSC mode3である場合、端末は、さらに第1の経路選択構成要素を決定する必要がある。
【０１０２】
一実装形態において、リソースが完全に利用されることを保証するために、第2のメッセージ内で搬送されたPDUセッションパラメータが第3の経路選択構成要素と一致しない場合、端末は、確立された第3のPDUセッションを選択的に解放する。
【０１０３】
本出願の実施形態は、
端末によって、アプリケーションに関する情報であり、トラフィック記述子と一致する情報を検出するステップと、
端末によって、アプリケーションの情報に対応するアプリケーションに関する第1の経路選択構成要素を決定するステップと、
端末によって、第1の経路選択構成要素に一致するPDUセッションにおいてアプリケーションのトラフィックをルーティングするステップと
を含む、データ経路選択方法を提供する。
【０１０４】
一実装形態において、アプリケーションの情報は、アプリケーションのIP3タプル、またはアプリケーションの識別子を含む。
【０１０５】
一実装形態において、第1の経路選択構成要素は、条件に一致する経路選択構成要素において最も高い優先順位を有する経路選択構成要素である。
【０１０６】
条件は、以下、すなわち、経路選択構成要素情報内のS-NSSAIが、許可されたネットワークスライス選択支援情報NSSAIに属すること、および/または、経路選択構成要素情報内のDNNがLADNのDNNである場合、端末がLADNのサービスエリア内にあることを含む。
【０１０７】
一実装形態において、第1の経路選択構成要素と一致するPDUセッションがない場合、端末は、第1の経路選択構成要素に基づいてPDUセッションを確立する。
【０１０８】
一実装形態において、端末によってPDUセッションを確立するステップが拒否された場合、端末は、第2の経路選択構成要素を決定し、第2の経路選択構成要素は、第1の経路選択構成要素以外の、条件に一致する経路選択構成要素において最も高い優先順位を有する経路選択構成要素である。
【０１０９】
一実装形態において、端末が第1の経路選択構成要素に基づいてPDUセッションを確立した後、端末は、第1のメッセージを受信し、第1のメッセージは、端末によってPDUセッションを確立することが許容されることを示すために使用され、端末は、確立されたPDUセッションをチェックする。
【０１１０】
一実装形態において、端末によって、第1の経路選択構成要素と一致するPDUセッションにおいてアプリケーションのトラフィックをルーティングするステップは、
第1のメッセージ内で搬送されたPDUセッションパラメータが第1の経路選択構成要素と一致する場合、端末が、第1の経路選択構成要素と一致するPDUセッションにおいてアプリケーションのトラフィックをルーティングすることを含む。
【０１１１】
一実装形態において、第1のメッセージ内で搬送されたPDUセッションパラメータが第1の経路選択構成要素と一致しない場合、端末は、第2の経路選択構成要素を決定し、第2の経路選択構成要素は、第1の経路選択構成要素以外の、条件に一致する経路選択構成要素において最も高い優先順位を有する経路選択構成要素である。
【０１１２】
一実装形態において、第1のメッセージ内で搬送されたPDUセッションパラメータが第1の経路選択構成要素と一致しない場合、端末は、確立されたPDUセッションを解放する。
【０１１３】
一実装形態において、端末によって第1の経路選択構成要素を決定するタイミングは、以下、すなわち、
端末がアプリケーションを有効にすること、
端末の登録エリアが変化すること、および、
端末が非3GPPカバレッジエリアに出入りすること
のうちの少なくとも1つを含む。
【０１１４】
一実装形態において、第1の経路選択構成要素と一致するPDUセッションは、
第1の経路選択構成要素における各パラメータが1つの値に対応する場合、PDUセッションのパラメータが第1の経路選択構成要素と同じであること、または、
第1の経路選択構成要素における少なくとも1つのパラメータが少なくとも2つの値に対応する場合、PDUセッションのパラメータが第1の経路選択構成要素に属すること、
を含む。
【０１１５】
本出願の実施形態において、データ経路選択装置は、前述の方法の実施形態に従って機能モジュールに分割されてもよい。例えば、機能モジュールは、対応する機能に基づく分割を通じて取得されてもよく、または、2つ以上の機能が、1つの処理モジュールに統合されてもよい。統合されたモジュールは、ハードウェアの形態において実装されてもよく、または、ソフトウェア機能モジュールの形態において実装されてもよい。本出願のこの実施形態において、モジュール分割は、例であり、単なる論理的機能分割である。実際の実装形態において、別の分割方法が使用されてもよい。
【０１１６】
図3は、前述の実施形態におけるデータ経路選択装置の例示的な概略構造図である。データ経路選択装置30は、検出モジュール31と、決定モジュール32と、処理モジュール33と、確立モジュール34と、受信モジュール35と、解放モジュール36とを含む。検出モジュール31は、端末におけるアプリケーションに関する情報がトラフィック記述子と一致するかどうかを検出する際などに装置30をサポートするように構成される。決定モジュール32は、第1の経路選択構成要素、第2の経路選択構成要素、および第3の経路選択構成要素を決定する際などに装置30をサポートするように構成される。処理モジュール33は、対応するPDUセッション、すなわち、第1の経路選択構成要素に対応する第1のPDUセッションにおいてアプリケーションのトラフィックをルーティングする際、および、本明細書に記載の技術の別の処理を実行する際などに装置30をサポートするように構成される。確立モジュール34は、第1のPDUセッション、第2のPDUセッション、および第3のPDUセッションを確立する際などに装置30をサポートするように構成される。受信モジュール35は、第1のメッセージおよび第2のメッセージを受信する際などに装置30をサポートするように構成される。解放モジュール36は、確立された第3のPDUセッションを解放する際に装置30をサポートするように構成される。本出願のこの実施形態において、装置30は、通信モジュール37と記憶モジュール38とをさらに含んでもよい。通信モジュール37は、端末内のモジュールとのデータ交換を実行する際に装置30をサポートするように、および/または、端末とデバイス、例えば、ネットワーク側の各デバイスとの間の通信をサポートするように構成される。記憶モジュール38は、端末のプログラムコードおよびデータを記憶する際に装置30をサポートするように構成される。
【０１１７】
処理モジュール33は、CPU、汎用プロセッサ、デジタル信号プロセッサ(Digital Signal Processor、DSP)、特定用途向け集積回路(Application-Specific Integrated Circuit、ASIC)、フィールドプログラマブルゲートアレイ(Field Programmable Gate Array、FPGA)、もしくは別のプログラマブル論理デバイス、トランジスタ論理デバイス、ハードウェア構成要素、またはそれらの組み合わせなどのプロセッサまたはコントローラであってもよい。コントローラ/プロセッサは、本出願において開示されている内容を参照して説明されている様々な例示的な論理ブロック、モジュール、および回路を実装または実行してもよい。代替的には、プロセッサは、演算機能を実装するプロセッサの組み合わせ、例えば、1つ以上のマイクロプロセッサの組み合わせ、またはDSPとマイクロプロセッサとの組み合わせであってもよい。受信モジュール72は、トランシーバ、トランシーバ回路、通信インターフェースなどとして実装されてもよい。記憶モジュール75は、メモリとして実装されてもよい。
【０１１８】
検出モジュール31、決定モジュール32、処理モジュール33、確立モジュール34、および解放モジュール36は、プロセッサとして実装されてもよく、受信モジュール35および通信モジュール37は、トランシーバとして実装されてもよく、記憶モジュール38は、メモリとして実装されてもよい場合、図4に示すように、端末40は、プロセッサ41と、トランシーバ42と、メモリ43と、バス44とを含む。プロセッサ41、トランシーバ42、およびメモリ43は、バス44を使用することによって相互に接続される。バス44は、周辺構成要素相互接続(Peripheral Component Interconnect、PCI)バス、拡張業界標準構造(Extended Industry Standard Architecture、EISA)バスなどであってもよい。バスは、アドレスバス、データバス、制御バスなどに分類されてもよい。表現の容易さのために、図4においてバスを表すために1本の太線のみが使用されているが、これは、1つのバスのみまたは1つのタイプのバスのみがあることを意味しない。
【０１１９】
本出願において開示されている内容と組み合わせて説明されている方法またはアルゴリズムステップは、ハードウェアによって実施されてもよく、または、ソフトウェア命令を実行することによってプロセッサによって実施されてもよい。ソフトウェア命令は、対応するソフトウェアモジュールを含んでもよい。ソフトウェアモジュールは、ランダムアクセスメモリ(Random Access Memory、RAM)、フラッシュメモリ、読み取り専用メモリ(Read-Only Memory、ROM)、消去可能プログラム可能読み取り専用メモリ(Erasable Programmable ROM、EPROM)、電気的消去可能プログラム可能読み取り専用メモリ(Electrically EPROM、EEPROM)、レジスタ、ハードディスク、リムーバブルハードディスク、コンパクトディスク読み取り専用メモリ(Compact Disc Read-Only Memory、CD-ROM)、または当該技術分野で周知の任意の他の形態の記憶媒体内に記憶されてもよい。例えば、プロセッサが記憶媒体から情報を読み出し、または記憶媒体に情報を書き込むことができるように、記憶媒体がプロセッサに結合される。確かに、記憶媒体は、代替的には、プロセッサの構成要素であってもよい。プロセッサおよび記憶媒体は、同じデバイス内に配置されてもよく、または、プロセッサおよび記憶媒体は、別個の構成要素として異なるデバイス内に配置されてもよい。
【０１２０】
本出願の実施形態は、命令を含む可読記憶媒体を提供する。命令が端末上で実行されると、端末は、前述の方法を実行することが可能となる。
【０１２１】
本出願の実施形態は、コンピュータプログラム製品を提供する。コンピュータプログラム製品は、ソフトウェアコードを含む。ソフトウェアコードは、前述の方法を実行するために使用される。
【０１２２】
当業者は、前述の1つ以上の例において、本出願において説明されている機能が、ハードウェア、ソフトウェア、ファームウェア、またはそれらの任意の組み合わせによって実装されてもよいことを認識すべきである。ソフトウェアによって実装される場合、前述の機能は、コンピュータ可読媒体内に記憶されてもよく、または、コンピュータ可読媒体内の1つ以上の命令もしくはコードとして送信されてもよい。コンピュータ可読媒体は、コンピュータ記憶媒体と通信媒体とを含み、通信媒体は、コンピュータプログラムがある場所から別の場所に送信されることを可能にする任意の媒体を含む。記憶媒体は、汎用または専用コンピュータにアクセス可能な任意の利用可能な媒体であってもよい。
【０１２３】
本出願の目的、技術的解決策、および利点について、前述の特定の実装形態においてさらに詳細に説明する。前述の説明は、単なる本出願の特定の実装形態であり、本出願の保護範囲を限定することを意図していないことを理解すべきである。本出願の技術的解決策に基づいてなされた任意の変更、同等の交換、または改善は、本出願の保護範囲内に収まるものとする。
【符号の説明】
【０１２４】
30  データ経路選択装置、装置
31  検出モジュール
32  決定モジュール
33  処理モジュール
34  確立モジュール
35  受信モジュール
36  解放モジュール
37  通信モジュール
38  記憶モジュール
40  端末
41  プロセッサ
42  トランシーバ
43  メモリ
44  バス
100  端末
101  プロセッサ
102  メモリ
103  カメラ
104  RF回路、無線周波数回路
105  オーディオ回路
106  スピーカ
107  マイクロフォン
108  入力デバイス
109  別の入力デバイス
110  表示画面
111  タッチパネル
112  表示パネル
113  出力デバイス
114  電源
【図１】
2021513824.tif 000006
【図２】
2021513824.tif 000007
【図３】
2021513824.tif 000008
【図４】
2021513824.tif 000009
【手続補正書】
【提出日】令和2年10月2日(2020.10.2)
【手続補正１】
【補正対象書類名】特許請求の範囲
【補正対象項目名】全文
【補正方法】変更
【補正の内容】
【特許請求の範囲】
【請求項１】
データ経路選択方法であって、前記方法が、
アプリケーションに関する情報がトラフィック記述子と一致する場合、
前記アプリケーションのための第1の経路選択構成要素RCSを決定するステップと、
第1のプロトコルデータユニットPDUセッションにおいて前記アプリケーションのトラフィックをルーティングするステップであって、前記第1のPDUセッションが前記第1のRCSと一致する、ステップと
を含み、
前記トラフィック記述子がUE経路選択ポリシー(URSP)rule内に含まれ、前記URSP ruleが前記第1のRSCを含み、
前記第1のRSCが第1の条件を満たし、前記第1の条件が、
前記第1のRSCがデータネットワーク名DNNを含み、前記DNNがローカルアクセスデータネットワークLADNのDNNである場合、前記UEが前記LADNのサービスエリア内にあることと、
前記第1のRSCが少なくとも1つの単一ネットワークスライス選択支援情報S-NSSAIを含む場合、前記S-NSSAIが許可されたネットワークスライス選択支援情報allowed NSSAIに属することと
を含む、データ経路選択方法。
【請求項２】
前記アプリケーションの前記情報が、前記アプリケーションのインターネットプロトコルIP3タプル、または前記アプリケーションの識別子IDを含む、請求項1に記載の方法。
【請求項３】
前記方法が、
確立されたPDUセッションにおいて前記第1のRSCと一致する既存のPDUセッションがない場合、前記第1のRSCに基づいて前記第1のPDUセッションを確立するステップをさらに含む、請求項1または2に記載の方法。
【請求項４】
前記URSP ruleが少なくとも1つの経路選択記述子をさらに含む、請求項1から3のいずれか一項に記載の方法。
【請求項５】
前記アプリケーションのための前記第1のRSCを決定する前記ステップが、
少なくとも各RSCの優先順位に基づいて、前記第1のRSCを決定するステップを含む、請求項1から4のいずれか一項に記載の方法。
【請求項６】
前記アプリケーションのための第1のRSCを決定する前記ステップが、
少なくとも1つの有効なRSCから前記第1のRSCを決定するステップを含み、
前記少なくとも1つの有効なRSCが前記第1の条件を満たし、前記少なくとも1つの有効なRSCが前記少なくとも1つの経路選択記述子内に記録される、請求項1から4のいずれ一項に記載の方法。
【請求項７】
前記少なくとも1つの有効なRSCから前記第1のRSCを決定する前記ステップが、
少なくとも各有効なRSCの優先順位に基づいて、前記第1のRSCを決定するステップを含む、請求項6に記載の方法。
【請求項８】
前記少なくとも1つの有効なRSCが、第2のRSCと前記第1のRSCとを含み、前記第2のRSCの優先順位が前記第1のRSCの前記優先順位よりも高く、
前記アプリケーションのための前記第1のRSCを決定する前記ステップが、
第2の経路選択構成要素に基づいて第2のPDUセッションを確立するステップと、
前記端末による前記第2のPDUセッションの確立要求が拒否された場合、前記端末によって前記第1のRSCを決定するステップと
を含む、請求項6または7に記載の方法。
【請求項９】
前記第2のRSCの優先順位が前記第1のRSCの優先順位よりも高い、請求項8に記載の方法。
【請求項１０】
前記第1のRSCが少なくとも1つのパラメータを含み、
前記第1のPDUセッションが前記第1のRSCと一致することが、
前記第1のRSC内の第1のパラメータが1つの値のみを含む場合、前記第1のPDUセッションの第1の対応するパラメータの値が前記第1のRSC内の値と同一であること、または、
前記第1のRSC内の第2のパラメータが少なくとも2つの値を含む場合、前記第1のPDUセッションの第2の対応するパラメータの値が前記第1のRSC内の前記第2のパラメータの前記値のうちの1つと同一であること
を含む、請求項1から9のいずれか一項に記載の方法。
【請求項１１】
前記端末によって、前記アプリケーションのための第1の経路選択構成要素を決定する前記ステップが、
第2の条件が満たされた場合、前記端末によって、前記アプリケーションのための前記第1の経路選択構成要素を決定するステップを含み、
前記第2の条件が、以下、すなわち、
前記アプリケーションの前記トラフィックがルーティングされるPDUセッションが解放されること、
前記端末が前記LADNの前記サービスエリアに出入りすること、
前記端末が非第3世代パートナーシッププロジェクトの非3GPPカバレッジエリアに出入りすること、
前記端末がEPCから5GCに移動すること、および、
前記端末が、前記アプリケーションが有効にされたことを検出すること
のうちの少なくとも1つを含む、請求項1から10のいずれか一項に記載の方法。
【請求項１２】
前記アプリケーションのための前記第1のRSCを決定する前記ステップが、
前記アプリケーションのための前記URSP ruleを決定するステップであって、前記URSP ruleが1つ以上の経路選択記述子を含む、ステップと、
前記URSP rule内の第1の経路選択記述子を選択するステップであって、前記第1の経路選択記述子が前記第1のRSCを含む、ステップと
を含む、請求項1から11のいずれか一項に記載の方法。
【請求項１３】
前記RSCが、以下の情報、すなわち、
SSCモード選択、
ネットワークスライス選択、
データネットワーク名DNN選択、
非シームレスオフロード指示、
アクセスタイプ選好、または、
PDUタイプ
のうちの少なくとも1つを含む、請求項1から12のいずれか一項に記載の方法。
【請求項１４】
前記方法が、
前記端末によって、第1のメッセージを受信するステップであって、前記第1のメッセージが、前記端末によって前記第1のPDUセッションを確立することが許容されることを示すために使用される、ステップと、
前記第1のメッセージ内で搬送されたPDUセッションパラメータが前記第1の経路選択構成要素と一致する場合、前記端末によって、前記第1のPDUセッションにおいて前記アプリケーションの前記トラフィックをルーティングするステップと
をさらに含む、請求項1から13のいずれか一項に記載の方法。
【請求項１５】
メモリと、1つ以上のプロセッサと、1つ以上のプログラムとを備える装置であって、前記1つ以上のプログラムが前記メモリ内に記憶され、前記1つ以上のプロセッサが前記1つ以上のプログラムを実行すると、前記端末が、請求項1から14のいずれか一項に記載の方法を実施することが可能となる、装置。
【請求項１６】
可読記憶媒体であって、前記可読記憶媒体が命令を記憶し、前記命令が端末上で実行されると、前記端末が、請求項1から14のいずれか一項に記載の方法を実行することが可能となる、可読記憶媒体。
【請求項１７】
請求項1から14のいずれか一項に記載の方法を実行するようにプロセッサを適合させるプログラム。
【国際調査報告】
2021513824.tif 000010
2021513824.tif 000011
2021513824.tif 000012
2021513824.tif 000013